(57)【要約】無線ネットワークにおいて制御情報を送信することを容易にするシステムおよび方法が記載される。制御情報を送信するために、帯域幅の一部が抑制される。制御情報送信機は、制御情報を伝送するために、ビーコン・シンボルを利用しうる。この点に関し、制御情報帯域幅にわたるデータ送信に関する干渉が緩和される。制御情報を示すために、コードワード内のビーコン・シンボルの選択された周波数が使用されうる。コードワードは、いくつかの干渉の存在時において、誤り制御符号とともに符号化され、復号のための冗長性が提供される。
2011504044.tif 000002
【特許請求の範囲】
【請求項１】
無線ネットワークにおいて制御情報を通信することを容易にする方法であって、
確保された制御セグメントを備える複数のトーンを受信することと、
前記確保された制御セグメントによって送信された少なくとも１つのビーコン符号シーケンスを推論するために、前記確保された制御セグメントを復号することと、
前記ビーコン符号シーケンスによって表される制御情報を解釈することと
を備える方法。
【請求項２】
複数のビーコン・シンボルから、前記ビーコン符号シーケンスを判定することをさらに備え、
前記ビーコン・シンボルは、少なくとも部分的に、推定された干渉と、前記ビーコン・シンボルのうちの１または複数の電力とを、しきい値と比較することによって識別される請求項１に記載の方法。
【請求項３】
前記ビーコン符号シーケンスを、１または複数の別に受信されたビーコン符号シーケンスから区別することをさらに備える請求項１に記載の方法。
【請求項４】
前記ビーコン符号シーケンスは、前記ビーコン符号シーケンスと、前記別に受信されたビーコン符号シーケンスとを符合化するために使用される１または複数の誤り制御符合化スキームに少なくとも部分的に基づいて、前記別に受信されたビーコン符号シーケンスから区別される請求項３に記載の方法。
【請求項５】
前記ビーコン符号シーケンスは、前記ビーコン符号シーケンスのそれぞれのソースに関連する識別子、または、前記ビーコン符号シーケンスのターゲットに関連する識別子に少なくとも部分的に基づいてスクランブルされる請求項４に記載の方法。
【請求項６】
前記誤り制御符合化スキームは、リード・ソロモン符合化スキーム、畳み込み符合化スキーム、ブロック符合化スキーム、および／または、ターボ符合化スキームを備える請求項４に記載の方法。
【請求項７】
前記区別することは、前記ビーコン符号シーケンス内のビーコン・シンボルの電力またはフェーズを、前記別に受信されたビーコン符号シーケンスのうちの少なくとも１つのうちのビーコン・シンボルの電力またはフェーズと比較することに少なくとも部分的に基づく請求項３に記載の方法。
【請求項８】
前記複数のトーンは、１または複数のＯＦＤＭシンボルの１または複数のサブキャリアに関連する請求項１に記載の方法。
【請求項９】
前記制御情報は、干渉回避要求に関連する請求項１に記載の方法。
【請求項１０】
無線通信装置であって、
確保された制御セグメントを備える複数のトーンを受信し、前記確保された制御セグメントによって送信された少なくとも１つのビーコン符号シーケンスを推論し、前記推論されたビーコン符号シーケンスによって表される制御情報を判定するように構成された少なくとも１つのプロセッサと、
前記少なくとも１つのプロセッサに結合されたメモリと
を備える無線通信装置。
【請求項１１】
前記少なくとも１つのプロセッサはさらに、複数のビーコン・シンボルから、前記ビーコン符号シーケンスを推論するように構成され、
前記ビーコン・シンボルは、少なくとも部分的に、推定された干渉と、前記ビーコン・シンボルのうちの１または複数の電力とを、しきい値と比較することによって識別される請求項１０に記載の無線通信装置。
【請求項１２】
前記少なくとも１つのプロセッサはさらに、前記ビーコン符号シーケンスを、１または複数の別に受信されたビーコン符号シーケンスから区別するように構成された請求項１０に記載の無線通信装置。
【請求項１３】
前記ビーコン符号シーケンスは、前記ビーコン符号シーケンスと、前記別に受信されたビーコン符号シーケンスとを符合化するために使用される１または複数の誤り制御符合化スキームに少なくとも部分的に基づいて、前記別に受信されたビーコン符号シーケンスから区別される請求項１２に記載の無線通信装置。
【請求項１４】
前記ビーコン符号シーケンスは、前記ビーコン符号シーケンスまたは前記無線通信装置のそれぞれのソースに関連する識別子に少なくとも部分的に基づいてスクランブルされる請求項１３に記載の無線通信装置。
【請求項１５】
前記誤り制御符合化スキームは、リード・ソロモン符合化スキーム、畳み込み符合化スキーム、ブロック符合化スキーム、および／または、ターボ符合化スキームを備える請求項１３に記載の無線通信装置。
【請求項１６】
前記複数のトーンは、１または複数のＯＦＤＭシンボルのサブキャリアに関連する請求項１０に記載の無線通信装置。
【請求項１７】
無線ネットワークにおいて制御情報を通信する無線通信装置であって、
確保された制御セグメントを備える複数のトーンを受信する手段と、
前記確保された制御セグメントによって送信された少なくとも１つのビーコン符号シーケンスを判定するために、前記確保された制御セグメントの一部を復号する手段と、
前記ビーコン符号シーケンスによって表される制御情報を解釈する手段と
を備える無線通信装置。
【請求項１８】
複数のビーコン・シンボルから、前記ビーコン符号シーケンスを判定する手段をさらに備え、
前記ビーコン・シンボルは、少なくとも部分的に、推定された干渉と、前記ビーコン・シンボルのうちの１または複数の電力とを、しきい値と比較することによって識別される請求項１７に記載の無線通信装置。
【請求項１９】
前記ビーコン符号シーケンスを、１または複数の別に受信されたビーコン符号シーケンスから区別する手段をさらに備える請求項１７に記載の無線通信装置。
【請求項２０】
前記ビーコン符号シーケンスは、前記ビーコン符号シーケンスと、前記別に受信されたビーコン符号シーケンスとを符合化するために使用される１または複数の誤り制御符合化スキームに少なくとも部分的に基づいて、前記別に受信されたビーコン符号シーケンスから区別される請求項１９に記載の無線通信装置。
【請求項２１】
前記ビーコン符号シーケンスは、前記無線通信装置または前記ビーコン符号シーケンスのそれぞれのソースに関連する識別子に少なくとも部分的に基づいてスクランブルされる請求項２０に記載の無線通信装置。
【請求項２２】
前記区別することは、前記ビーコン符号シーケンス内のビーコン・シンボルの電力またはフェーズを、前記別に受信されたビーコン符号シーケンスのうちの少なくとも１つのうちのビーコン・シンボルの電力またはフェーズと比較することに少なくとも部分的に基づく請求項１９に記載の無線通信装置。
【請求項２３】
前記複数のトーンは、１または複数のＯＦＤＭシンボルのサブキャリアに関連する請求項１７に記載の無線通信装置。
【請求項２４】
コンピュータ読取可能媒体を備えるコンピュータ・プログラム製品であって、
前記コンピュータ読取可能媒体は、
少なくとも１つのコンピュータに対して、確保された制御セグメントを備える複数のトーンを受信させるためのコードと、
前記少なくとも１つのコンピュータに対して、前記確保された制御セグメントによって送信された少なくとも１つのビーコン符号シーケンスを推論させるためのコードと、
前記少なくとも１つのコンピュータに対して、前記推論されたビーコン符号シーケンスによって表される制御情報を判定させるためのコードと
を備えるコンピュータ・プログラム製品。
【請求項２５】
前記コンピュータ読取可能媒体はさらに、前記少なくとも１つのコンピュータに対して、複数のビーコン・シンボルから、前記ビーコン符号シーケンスを推論させるためのコードを備え、
前記ビーコン・シンボルは、少なくとも部分的に、推定された干渉と、前記ビーコン・シンボルのうちの１または複数の電力とを、しきい値と比較することによって識別される請求項２４に記載のコンピュータ・プログラム製品。
【請求項２６】
無線ネットワークにおいて制御情報を送信する方法であって、
確保された制御セグメントを、制御情報を１または複数のビーコン・シンボルとして送信するための帯域幅の一部として定義することと、
前記制御情報を、ビーコン・コードワードを形成する複数のビーコン・シンボルとして符合化することと、
前記確保された制御セグメントによって前記ビーコン・コードワードを送信することと
を備える方法。
【請求項２７】
前記確保された制御セグメントによる別のデータの送信を抑制することをさらに備える請求項２６に記載の方法。
【請求項２８】
干渉を緩和するために、関連するデバイスの一部が、前記確保された制御セグメントによる送信を抑制する請求項２７に記載の方法。
【請求項２９】
前記複数のビーコン・シンボルのおのおのについて選択された周波数トーンが、前記制御情報を備えるコードワードの一部に関連している請求項２８に記載の方法。
【請求項３０】
ビーコン符号シーケンスの冗長性を与えるために、誤り制御符号を用いて前記ビーコン符号シーケンスを符合化することをさらに備える請求項２６に記載の方法。
【請求項３１】
前記誤り制御符号は、前記ビーコン符号シーケンスのユニークな識別を可能にするために、関連付けられた識別子に基づいてスクランブルされる請求項３０に記載の方法。
【請求項３２】
前記帯域幅の一部が、複数のＯＦＤＭシンボルに分割され、
前記ビーコン符号シーケンスを形成するビーコン・シンボルが、前記複数のＯＦＤＭシンボルのおのおののサブキャリアで送信される請求項２６に記載の方法。
【請求項３３】
前記制御情報は、帯域幅の別の部分における別の送信デバイスから抑制することを要求することに関連する請求項２６に記載の方法。
【請求項３４】
前記制御情報は、干渉を回避する要求に関連する請求項２６に記載の方法。
【請求項３５】
無線通信装置であって、
確保された制御セグメントを、制御情報を表す１または複数のビーコン・シンボルを送信するための帯域幅の一部として定義し、前記制御情報を、ビーコン・コードワードを形成する複数のビーコン・シンボルとして符合化し、前記確保された制御セグメントによって前記ビーコン・コードワードを送信するように構成された少なくとも１つのプロセッサと、
前記少なくとも１つのプロセッサに結合されたメモリと
を備える無線通信装置。
【請求項３６】
前記少なくとも１つのプロセッサはさらに、前記確保された制御セグメントによる別のデータの送信を抑制するように構成された請求項３５に記載の無線通信装置。
【請求項３７】
干渉を緩和するために、関連するデバイスの一部が、前記確保された制御セグメントによる送信を抑制する請求項３６に記載の無線通信装置。
【請求項３８】
前記複数のビーコン・シンボルのおのおのについて選択された周波数トーンが、前記制御情報を備えるコードワードの一部に関連している請求項３５に記載の無線通信装置。
【請求項３９】
前記少なくとも１つのプロセッサはさらに、ビーコン符号シーケンスの冗長性を与えるために、誤り制御符号を用いて前記ビーコン符号シーケンスを符合化するように構成された請求項３５に記載の無線通信装置。
【請求項４０】
前記誤り制御符号は、前記ビーコン符号シーケンスのユニークな識別を可能にするために、関連付けられた識別子に基づいてスクランブルされる請求項３９に記載の無線通信装置。
【請求項４１】
前記帯域幅の一部が、複数のＯＦＤＭシンボルに分割され、前記ビーコン符号シーケンスを形成するビーコン・シンボルが、前記複数のＯＦＤＭシンボルのおのおののサブキャリアで送信される請求項３５に記載の無線通信装置。
【請求項４２】
無線ネットワークにおいて制御情報を送信することを容易にする無線通信装置であって、
確保された制御セグメントを、制御情報を１または複数のビーコン・シンボルとして送信するための帯域幅の一部として定義する手段と、
前記制御情報を、ビーコン・コードワードを形成する複数のビーコン・シンボルとして符合化する手段と、
前記確保された制御セグメントによって前記ビーコン・コードワードを送信する手段と
を備える無線通信装置。
【請求項４３】
前記確保された制御セグメントによる別のデータの送信を抑制する手段をさらに備える請求項４２に記載の無線通信装置。
【請求項４４】
干渉を緩和するために、関連するデバイスの一部が、前記確保された制御セグメントによる送信を抑制する請求項４３に記載の無線通信装置。
【請求項４５】
前記複数のビーコン・シンボルのおのおのについて選択された周波数トーンが、前記制御情報を備えるコードワードの一部に関連している請求項４２に記載の無線通信装置。
【請求項４６】
ビーコン符号シーケンスの冗長性を与えるために、誤り制御符号を用いて前記ビーコン符号シーケンスを符合化する手段をさらに備える請求項４２に記載の無線通信装置。
【請求項４７】
前記誤り制御符号は、前記ビーコン符号シーケンスのユニークな識別を可能にするために、関連付けられた識別子に基づいてスクランブルされる請求項４６に記載の無線通信装置。
【請求項４８】
前記帯域幅の一部が、複数のＯＦＤＭシンボルに分割され、前記ビーコン符号シーケンスを形成するビーコン・シンボルが、前記複数のＯＦＤＭシンボルのおのおののサブキャリアで送信される請求項４２に記載の無線通信装置。
【請求項４９】
コンピュータ読取可能媒体を備えるコンピュータ・プログラム製品であって、
前記コンピュータ読取可能媒体は、
少なくとも１つのコンピュータに対して、確保された制御セグメントを、制御情報を１または複数のビーコン・シンボルとして送信するための帯域幅の一部として定義させるためのコードと、
前記少なくとも１つのコンピュータに対して、前記制御情報を、ビーコン・コードワードを形成する複数のビーコン・シンボルとして符合化させるためのコードと、
前記少なくとも１つのコンピュータに対して、前記確保された制御セグメントによって前記ビーコン・コードワードを送信させるためのコードと
を備えるコンピュータ・プログラム製品。
【請求項５０】
前記コンピュータ読取可能媒体はさらに、前記少なくとも１つのコンピュータに対して、前記確保された制御セグメントによる他のデータの送信を抑制させるためのコードを備える請求項４９に記載のコンピュータ・プログラム製品。
【発明の詳細な説明】
【関連出願に対する相互参照】
【０００１】
本願は、２００７年１１月１５日に出願された"BEACON-BASED CONTROL CHANNELS"と題された米国仮出願６０／９８８，１５１号の利益を主張する。上記出願の全体は、参照によって本明細書に組み込まれる。
【技術分野】
【０００２】
以下の記載は、一般に無線通信に関し、さらに詳しくは、無線通信チャネルによる制御情報の送信に関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰ２、３ＧＰＰロング・ターム・イボリューション（ＬＴＥ）、ウルトラ・モバイル・ブロードバンド（ＵＭＢ）等のような仕様に準拠しうる。
【０００４】
一般に、無線多元接続通信システムは、複数のモバイル・デバイスのための通信を同時にサポートすることができる。モバイル・デバイスはおのおのの、順方向リンクおよび逆方向リンクによる送信を介して１または複数の基地局と通信することができる。順方向リンク（すなわちダウンリンク）は、基地局からモバイル・デバイスへの通信リンクを称し、逆方向リンク（すなわちアップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、モバイル・デバイスは、ピア・ツー・ピア無線ネットワーク構成で、他のモバイル・デバイスと（および／または基地局が他の基地局と）通信することができる。
【０００５】
ＭＩＭＯシステムはデータ送信のために一般に、複数（ＮＴ個）の送信アンテナと複数（ＮＲ個）の受信アンテナとを適用する。アンテナは、基地局とモバイル・デバイスとの両方に関連しており、一例では、無線ネットワークにおけるデバイス間の双方向通信を可能とする。基地局は、ヘテロジニアスに配置されうるので、モバイル・デバイスは、基地局または、信号強度または品質の見地から最も望ましい基地局ではないその他のアクセス・ポイントへも接続しうる。例えば、住宅をベースとするアクセス・ポイントは、セキュリティやサービス利用度に関する理由から、モバイル・デバイスによって使用されうるが、このアクセス・ポイントは、モバイル・デバイスとアクセス・ポイントとの間の通信と干渉しうるより大きな信号強度を持つ基地局の物理的に近くに存在しうる。逆に、基地局と通信しているデバイスが、住宅のアクセス・ポイントの範囲に来た場合も同様のことが言える。したがって、干渉は、従来の構成よりも不規則、すなわち、より予測しにくくなりうる。
【発明の概要】
【０００６】
以下は、１または複数の実施形態の基本的な理解を提供するために、これら実施形態の簡単な概要を示す。この概要は、考えられるすべての実施形態の広範な概観ではなく、すべての実施形態の重要要素または決定的要素を特定することでもなく、任意またはすべての実施形態の範囲を線引きすることも意図されていない。その唯一の目的は、１または複数の実施形態のいくつかの概念を、後に示されるより詳細な記載に対する前置きとして、より簡単な形式で表すことである。
【０００７】
１または複数の実施形態および対応する開示にしたがって、無線ネットワーク内で確保された帯域幅のセグメントによって制御情報を送信するためにビーコン信号を利用することを容易にすることに関するさまざまな態様が記載される。この点に関し、制御信号は、送信しているデバイス間の制御信号同士の干渉を緩和するために、パターン化されたビーコン・シンボルまたはランダムなビーコン・シンボルとして送信されうる。さらに、これら送信しているデバイスは、デバイス間の衝動的な干渉を緩和するために、確保されたセグメントによるデータ通信送信電力を抑えうる。さらに、この制御情報は、例えば、制御情報の種々の符号化および解釈のためのコードワードを生成するために、ビーコン符号化技術を用いて送信されうる。
【０００８】
関連する態様によれば、無線ネットワークにおいて制御情報を通信することを容易にする方法が提供される。この方法は、確保された制御セグメントを備える複数のトーンを受信することと、確保された制御セグメントによって送信された少なくとも１つのビーコン符号シーケンスを推論するために、この確保された制御セグメントを復号することとを備える。この方法はさらに、ビーコン符号シーケンスによって表される制御情報を解釈することを含みうる。
【０００９】
別の態様は、無線通信装置に関する。この無線通信装置は、少なくとも１つのプロセッサを含みうる。このプロセッサは、確保された制御セグメントを備える複数のトーンを受信し、確保された制御セグメントによって送信された少なくとも１つのビーコン符号シーケンスを推論するように構成されている。このプロセッサはさらに、推論されたビーコン符号シーケンスによって表される制御情報を判定するように構成されうる。この無線通信装置はさらに、少なくとも１つのプロセッサに結合されたメモリを含みうる。
【００１０】
さらに別の態様は、無線ネットワークにおいて制御情報を通信する無線通信装置に関する。この無線通信装置は、確保された制御セグメントを備える複数のトーンを受信する手段を含みうる。この無線通信装置はさらに、確保された制御セグメントによって送信された少なくとも１つのビーコン符号シーケンスを判定するために、確保された制御セグメントの一部を復号する手段と、ビーコン符号シーケンスによって表される制御情報を解釈する手段とを含みうる。
【００１１】
また別の態様は、コンピュータ読取可能媒体を有するコンピュータ・プログラム製品に関する。このコンピュータ読取可能媒体は、確保された制御セグメントを備える複数のトーンを、少なくとも１つのコンピュータに受信させるためのコードと、確保された制御セグメントによって送信された少なくとも１つのビーコン符号シーケンスを、少なくとも１つのコンピュータに推論させるためのコードとを含む。このコンピュータ読取可能媒体はさらに、推論されたビーコン符号シーケンスによって表される制御情報を、少なくとも１つのコンピュータに判定させるためのコードを含みうる。
【００１２】
さらなる態様によれば、無線ネットワークにおいて制御信号を送信する方法が提供される。この方法は、確保された制御セグメントを、制御情報を１または複数のビーコン・シンボルとして送信するための帯域幅の一部として定義することを含みうる。この方法はまた、制御情報を、ビーコン・コードワードを形成する複数のビーコン・シンボルとして符号化することと、確保された制御セグメントによって、ビーコン・コードワードを送信することとを含みうる。
【００１３】
別の態様は無線通信装置に関する。この無線通信装置は、少なくとも１つのプロセッサを含みうる。このプロセッサは、確保された制御セグメントを、制御情報を表す１または複数のビーコン・シンボルを送信するための帯域幅の一部として定義するように構成されている。プロセッサはさらに、制御情報を、ビーコン・コードワードを形成する複数のビーコン・シンボルとして符号化し、確保された制御セグメントによって、ビーコン・コードワードを送信するように構成されている。この無線通信装置はまた、少なくとも１つのプロセッサに結合されたメモリを含みうる。
【００１４】
さらに別の態様は、無線ネットワークにおいて制御情報を送信することを容易にする無線通信装置に関する。この無線通信装置は、確保された制御セグメントを、制御情報を１または複数のビーコン・シンボルとして送信するための帯域幅の一部として定義することを含みうる。この無線通信装置はまた、制御情報を、ビーコン・コードワードを形成する複数のビーコン・シンボルとして符号化する手段と、確保された制御セグメントによって、ビーコン・コードワードを送信する手段とを含みうる。
【００１５】
また別の態様は、コンピュータ読取可能媒体を有するコンピュータ・プログラム製品に関する。このコンピュータ読取可能媒体は、少なくとも１つのコンピュータに対して、確保された制御セグメントを、制御情報を１または複数のビーコン・シンボルとして送信するための帯域幅の一部をとして定義させるためのコードを含む。このコンピュータ読取可能媒体はさらに、少なくとも１つのコンピュータに対して、制御情報を、ビーコン・コードワードを形成する複数のビーコン・シンボルとして符号化させるためのコードと、少なくとも１つのコンピュータに対して、確保された制御セグメントによって、ビーコン・コードワードを送信させるためのコードとを含みうる。
【００１６】
前述した目的および関連する目的を達成するために、１または複数の実施形態は、以下に十分説明され、特に特許請求の範囲で指摘される特徴を備える。以下の記載および関連する図面は、１または複数の実施形態のある例示的な態様を詳細に述べる。これらの態様は、さまざまな実施形態の原理が適用されるさまざまな方法のうちのほんのいくつかを示すのみであり、記載された実施形態は、そのようなすべての態様およびそれらの均等物を含むことが意図される。
【図面の簡単な説明】
【００１７】
【図１】図１は、本明細書に記載されたさまざまな態様にしたがう無線通信システムの実例である。
【図２】図２は、無線通信環境において適用される通信装置の実例である。
【図３】図３は、無線ネットワークにおける制御情報の通信を有効にする無線通信システムの実例である。
【図４】図４は、制御情報を通信するための帯域幅の実例である。
【図５】図５は、制御情報を通信することを容易にする方法の実例である。
【図６】図６は、制御情報を複数のビーコン・シンボルとして受信することを容易にする方法の実例である。
【図７】図７は、制御情報を１または複数のビーコン・シンボルとして送信することを容易にするモバイル・デバイスの実例である。
【図８】図８は、抑えられた帯域幅部分によって制御情報を受信することを容易にするシステムの実例である。
【図９】図９は、本明細書に記載されたさまざまなシステムおよび方法と共に使用することができる無線ネットワーク環境の実例である。
【図１０】図１０は、無線ネットワークにおいて制御情報を受信するシステムの実例である。
【図１１】図１１は、無線ネットワークにおいて制御情報を送信するシステムの実例である。
【発明を実施するための形態】
【００１８】
さまざまな実施形態が、全体を通じて同一要素を示すために同一の参照番号が使用される図面を参照して説明される。以下の記載では、説明の目的のために、１または複数の実施形態の完全な理解を提供するために、多くの具体的な詳細が述べられる。しかしながら、そのような実施形態は、これら具体的な詳細無しで実現されうることが明からである。他の事例では、１または複数の実施形態の記載を容易にするために、周知の構成およびデバイスがブロック図形式で示される。
【００１９】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピュータ・デバイス上で実行中のアプリケーションと、コンピュータ・デバイスとの両方が構成要素になりえる。１または複数の構成要素は、プロセスおよび／または実行スレッド内に存在し、構成要素は、１つのコンピュータに局在化されるか、および／または、２つ以上のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような）１または複数のデータのパケットを有する信号にしたがって、ローカル処理および／またはリモート処理によって通信することができる。
【００２０】
さらに、本明細書では、さまざまな実施形態が、モバイル・デバイスに関連して記載される。モバイル・デバイスはまた、システム、加入者ユニット、加入者局、モバイル局、モバイル、遠隔局、遠隔端末、アクセス端末、ユーザ端末、端末、無線通信デバイス、ユーザ・エージェント、ユーザ・デバイス、あるいはユーザ機器（ＵＥ）とも称されうる。モバイル・デバイスは、セルラ電話、コードレス電話、セッション初期化プロトコル（ＳＩＰ）電話、無線ローカル・ループ（ＷＬＬ）局、携帯情報端末（ＰＤＡ）、無線接続機能を有する携帯型デバイス、コンピュータ・デバイス、あるいは無線モデムに接続されたその他の処理デバイスでありうる。さらに、本明細書では、さまざまな実施形態が、基地局に関連して記載される。基地局は、モバイル・デバイスと通信するために利用され、アクセス・ポイント、ノードＢ、イボルブド・ノードＢ（ｅノードＢ）、基地トランシーバ局（ＢＴＳ）、あるいはその他いくつかの専門用語で称されうる。
【００２１】
さらに、本明細書に記載のさまざまな態様または特徴は、標準的なプログラミング技術および／またはエンジニアリング技術を用いた方法、装置、または製造物品として実現されうる。本明細書で使用される用語「製造物品」は、任意のコンピュータ読取可能デバイス、キャリア、または媒体からアクセスすることが可能なコンピュータ・プログラムを含むことが意図される。例えば、コンピュータ読取可能媒体は、限定される訳ではないが、磁気記憶装置（例えば、ハード・ディスク、フロッピー（登録商標）ディスク、磁気ストリップ等）、光ディスク（例えば、コンパクト・ディスク（ＣＤ）、ＤＶＤ等）、スマート・カード、およびフラッシュ・メモリ・デバイス（例えば、ＥＰＲＯＭ、カード、スティック、キー・ドライブ等）を含みうる。さらに、本明細書に記載されたさまざまな記憶媒体は、情報を格納するための１または複数のデバイス、および／または、その他の機械読取可能媒体を表すことができる。用語「機械読取可能媒体」は、限定されることなく、無線チャネル、および、命令群および／またはデータを格納、包含、および／または搬送することができるその他任意の媒体を含みうる。
【００２２】
本明細書に記載された技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリアＦＤＭＡ（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ）のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳの最新のリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からドキュメントに記述されている。ＣＤＭＡ２０００およびＵＭＢは、「第３世代パートナシップ計画プロジェクト」（３ＧＰＰ２）と命名された組織からドキュメントに記述されている。
【００２３】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。２本のアンテナが各アンテナ・グループのために例示されているが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナ等）を備えうる。
【００２４】
基地局１０２は、例えばアクセス端末１１６およびアクセス端末１２２のような１または複数のアクセス端末と通信することができる。しかしながら、基地局１０２は、アクセス端末１１６およびアクセス端末１２２に類似した実質的に任意の数のアクセス端末と通信しうることが理解されるべきである。モバイル・デバイス１１６、１２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム１００を介して通信するのに適切なその他任意のデバイスでありうる。図示するように、モバイル・デバイス１１６は、アンテナ１１２およびアンテナ１１４と通信している。ここで、アンテナ１１２およびアンテナ１１４は、順方向リンク１１８によってアクセス端末１１６へ情報を送信し、逆方向リンク１２０によってアクセス端末１１６から情報を受信する。さらに、モバイル・デバイス１２２はアンテナ１０４およびアンテナ１０６と通信している。ここで、アンテナ１０４およびアンテナ１０６は、順方向リンク１２４でアクセス端末１２２へ情報を送信し、逆方向リンク１２６でアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２５】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。さらに、また、基地局１０２が、関連付けられた有効通信範囲にランダムに散在したモバイル・デバイス１１６、１２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス１１６、１２２は、図示するように、ピア・トゥ・ピアまたはアド・ホック技術を用いて互いにダイレクトに通信しうる。
【００２６】
例によれば、システム１００は、複数入力複数出力（ＭＩＭＯ）通信システムでありうる。さらに、システム１００は、通信チャネル（例えば、順方向リンク、逆方向リンク）を分割するために、例えばＦＤＤ、ＴＤＤ等のような実質的に任意のタイプのデュプレクス技術を適用しうる。通信チャネルは、１または複数の論理チャネルを備えうる。そのような論理チャネルは、モバイル・デバイス１１６、１２２と基地局１０２との間で（例えば、ピア・トゥ・ピア構成におけるモバイル・デバイス１１６からモバイル・デバイス１２２へ）制御情報を送信するために提供されうる。一例において、モバイル・デバイス１１６、１２２は、割り当てられた通信チャネルに関するパラメータを示すために、基地局１０２にチャネル品質インジケータ（ＣＱＩ）情報を送信する。このＣＱＩ制御情報に基づいて、基地局１０２は、例えば、モバイル・デバイス１１６および／またはモバイル・デバイス１２２へ追加の通信チャネル・リソースを割り当てうる。それに加えて、基地局１０２は、例えば、モバイル・デバイス１１６、１２２からデータを受信したことに関するアクノレッジメント情報のような制御情報を、制御チャネルを介してモバイル・デバイス１１６および／またはモバイル・デバイス１２２へ送信しうる。
【００２７】
一例において、基地局１０２は、無線通信ネットワークにおける複数の基地局またはアクセス・ポイントのうちの１つでありうる。このネットワークによって、デバイスと基地局またはその他のアクセス・ポイントとの間で、信号強度、信号対雑音比（ＳＮＲ）等の観点から最も好ましい訳ではない接続も可能となりうる。これによって、デバイスは、提供されているサービス、利用されているプロトコル、モバイル・デバイス１１６／１２２および／またはそのユーザが（図示しない）別の基地局へ接続する許可を持たない制約された関連性のようなその他の理由により、基地局またはその他のアクセス・ポイントへ接続できるようになる。それに加えて、基地局１０２は、ユーザの住居内に存在しうるか、あるいは近隣にある基地局との間で容易に達成できないサービスやセキュリティ（および／または信号強度）を提供する他のエリア内に存在しうる。さらに、より近い基地局は、ヘテロジニアスに構成されたネットワークの一部でありうる。ここでは、モバイル・デバイス１１６／１２２またはそのユーザが、パス・ロスが低いがＳＮＲが劣悪である等の低電力の基地局１０２へ接続することを選択することができる。
【００２８】
例えば、ある場合には、基地局が低い受信電力および低いＳＮＲしか有していない場合であっても、モバイル・デバイスが、パス・ロスが低い、低送信電力の基地局によってサービス提供されることが望ましい場合がある。なぜなら、低送信電力の基地局は、全体として、ネットワークへ低い干渉しかもたらさずにモバイル・デバイスにサービス提供できうるからである。さらに、複数の低電力基地局が、異なるユーザまたはモバイル・デバイスへ同時にサービス提供できるので、単一のユーザ／デバイスにサービス提供する高電力基地局と比較して、帯域幅をより効率的に使用できるようになる。したがって、モバイル・デバイス１１６、１２２は、基地局１０２と通信していても、支配的な干渉をもたらすアクセス・ポイント（図示する）、および／または、その間で通信している干渉をもたらすモバイル・デバイスが存在しうる。さらに、この干渉は、衝動的である場合があり、一定ではないので、基地局１０２および／またはモバイル・デバイス１１６および／またはモバイル・デバイス１２２は、すべての場合において、その干渉を予測することも考慮することもできない。
【００２９】
一例では、複数の送信デバイス（例えば、モバイル・デバイス１１６および／またはモバイル・デバイス１２２）は、帯域幅の一部による、例えば、ＯＦＤＭコンテキストにおけるトーン数のような、非制御情報のための送信電力を低減し、制御情報を送信するための帯域幅の一部を効率的に確保する。実質的に、無線通信システム１００における（図示しない）追加の送信デバイスのすべてはまた、制御情報を送信するために確保された制御セグメントを確立するために、確保された制御帯域幅による非制御情報送信を低減する。それに加えて、デバイスは、セグメントによって、どの非制御情報も送信しないことを選択する。この点において、送信機は、確保された制御セグメントによるデータ送信干渉無く、確保された制御セグメントで制御情報を送信しうる。確保された制御部分は、例えば、多くの時間期間またはフレームにわたって反復および／または変動しうる。さらに、確保された制御セグメントは、例えば時間および／または周波数において、隣接しているか、非隣接でありうる。モバイル・デバイス１１６および／またはモバイル・デバイス１２２は、異なるデバイスからの干渉を緩和するために、確保された制御セグメントを再使用することによって制御情報を送信しうる。
【００３０】
さらに、モバイル・デバイス１１６、１２２は、モバイル・デバイス１１６、１２２のための制御情報送信同士の干渉を緩和するために、ビーコン・シンボルを用いて、制御情報を、確保された制御セグメントによって送信する。例えば、このビーコン・シンボルは、モバイル・デバイス１１６および／またはモバイル・デバイス１２２の電力を、サブキャリアの一部にわたって集中させることによって、所与の時間期間にわたり、利用可能なサブキャリアの一部（例えば、最適なＳＮＲのための単一のサブキャリア）によって送信されうる。したがって、１つのモバイル・デバイス１１６からのこのサブキャリアの一部は、第２のモバイル・デバイス１２２からのサブキャリアの一部と低い確率でしか干渉しないので、受信エンティティ（例えば、基地局またはアクセス・ポイント）は、高い確率でビーコン・シンボルを受信しうる。サブキャリアの一部は、単一のサブキャリアに移動するので、これは特に事実である。一例において、制御情報は、多くのＯＦＤＭシンボル内で、１または連続した複数のビーコン・シンボルとして符合化され、伝送される。データは、ＯＦＤＭシンボル内のビーコンの位置で、時間期間にわたって部分的に伝送されうる。この点に関し、制御情報を効率的に復号するために、基地局および／またはアクセス・ポイントが、制御情報をビーコン・シンボルとして受信する高い確率を有するのみならず、符合化されたビーコン・シンボルの十分な部分を受信する高い確率を有することを保証するために、さまざまな符合化技術が適用されうる。
【００３１】
図２に移って、無線通信環境内で適用される通信装置２００が例示される。この通信装置２００は、基地局またはその一部、モバイル・デバイスまたはその一部、あるいは、無線通信環境において送信されたデータを受信する実質的に任意の通信装置でありうる。通信装置２００は、例えば、干渉回避、信号強度、信号対雑音比（ＳＮＲ）等のような無線通信の１または複数の態様に関連する制御情報構造を追加する制御情報ジェネレータ２０２と、制御情報を、１または複数のビーコン・シンボルまたはビーコン符号シーケンスへ符号化する制御情報ビーコン・エンコーダ２０４と、１または複数のビーコン符号または符号シーケンスによって制御情報を送信する送信機２０６とを含みうる。
【００３２】
例によれば、通信装置および関連する装置（図示せず）から制御情報を送信するための帯域幅の一部が定義されうる。一例において、通信装置２００は、その逆に、無線通信ネットワークにおいて、１または複数の基地局および／またはアクセス・ポイント（あるいは、より一般的には、受信機と通信する送信機）と通信する複数のモバイル・デバイスのうちの１つでありうる。無線通信ネットワークは、通信のために（例えば、最適な信号強度、ＳＮＲ等によって判定された）最適な基地局が選択されないように選択されたアクセス・ポイントまたは基地局に接続しているモバイル・デバイスをサポートしうる。これは、例えば、提供されているサービス、アクセス・ポイントへのアクセス性またはアクティビティ・レベル等を含むさまざまな要因に基づきうる。この点について、干渉を引き起こす通信装置２００による接続のために選択されたものよりも高いＳＮＲを有するより物理的に好ましいアクセス・ポイントが存在しうる。さらに、干渉は、時間および強度において予測不要でありうるので、従来の干渉回避技術を用いることは考えられない。
【００３３】
例によれば、制御情報ジェネレータ２０２は、基地局またはアクセス・ポイントへ送信するための制御情報構造を生成しうる。これは、通信装置２００および１または複数の基地局またはアクセス・ポイントについての通信メトリック（例えば、ＣＱＩ情報またはＳＮＲ情報）に関連しうる。他の例において、制御情報は、例えば、別の通信装置間でより低い電力に抑えるまたはより低い電力で送信するためにチャネルを調節し、追加のリソースを通信装置２００へ与える等によって、干渉をクリアにする要求に関連しうる。制御情報ビーコン・エンコーダ２０４は、制御情報を送信するための１または複数のビーコン信号を選択しうる。例えば、制御情報ビーコン・エンコーダ２０４は、例えば、トーンの一部または単一のトーンにわたって送信機２０６の電力を集中させることによって、制御情報を送信するために確保された制御セグメントのうちの少なくとも利用可能な時間フレームにおいて、トーンの一部または単一のトーンを選択しうる。例えば、これは、ＯＦＤＭシンボルのトーンかサブキャリアでありえる。さらに、制御情報ビーコン・エンコーダ２０４は、制御情報を解釈するために使用されうるコードワードの生成を可能にするために、時間にわたるビーコンのシーケンスによって（例えば、確保された制御セグメントの複数のＯＦＤＭシンボルによって）、制御情報を符合化しうる。例えば、コードワードは、ＯＦＤＭシンボルにわたってビーコンのために選択された周波数トーンによって表現されうる。一例において、コードワードは、その有効性を保証するために検証されうる。
【００３４】
さらに、一例では、制御情報ビーコン・エンコーダ２０４は、ビーコン・コードワードのビーコン・シンボルの一部が受信され、十分な復号を可能とする誤り制御符号化を提供しうる。１つの可能な誤り制御符号化は、冗長性等を与えるためにビーコン符号を延長するリード・ソロモン符号を利用しうる。それに加えて、あるいは、その代わりに、符号は、畳み込み符号、線形ブロック符号、ターボ符号等のうちの１または複数でありうる。符号のうちのいくつかのビーコン・シンボルが解釈された場合、あるいは誤って受信された場合であっても、誤り符合化を用いることによって、ビーコン・コードワードが解釈されるようになる。さらに、別の通信装置２００は、別の誤り符号化を使用しうるので、セクタ・アイデンティファイヤ、あるいはその他の送信機／受信機アイデンティファイヤは、一例において、ビーコン符号を分離することを支援するために、符号とともに送信されうる。さらに、コードワード、または、誤って符合化されたコードワードは、別の例にしたがってスクランブルされうる。例えば、コードワード、および／または、選択された代表的な周波数トーンは、通信装置２００のビーコン・コードワードを区別するためのセクタ、または、通信装置２００に特有の識別子またはシーケンスによって修正されうる。
【００３５】
図３を参照して、例えば、ヘテロジニアスに構成された無線通信ネットワークにおいて、低い干渉確率で制御情報を送信することを容易にする無線通信システム３００が例示される。このシステム３００は、無線デバイス３０４（および／または、任意の数の別のデバイス（図示せず））と通信する無線デバイス３０２を含む。無線デバイス３０２は、順方向リンク・チャネルで無線デバイス３０４に情報を送信し、無線デバイス３０２は、逆方向リンク・チャネルで無線デバイス３０４から情報を受信しうる。さらに、システム３００は、ＭＩＭＯシステムでありうる。それに加えて、システム３００は、ＯＦＤＭＡ無線ネットワーク（例えば、３ＧＰＰ、３ＧＰＰ  ＬＴＥ等）で動作しうる。さらに、無線デバイス３０２において示され以下に記載される構成要素および機能は、一例において、逆に、無線デバイス３０４でも存在しうる。この点について、無線デバイス３０２および無線デバイス３０４は、例えば、基地局、モバイル・デバイス、および／またはそれらの一部でありうる。一例において、無線デバイス３０２は、例えば基地局のグループのような実質的に類似のデバイスのうちの１つでありうる。ここでは、無線デバイス３０４は、例えばモバイル・デバイスのような異なるクラスのデバイスからなりうる。
【００３６】
無線デバイス３０２は、複数の送信機からのビーコン符号シーケンスを区別または明確にするビーコン符号セパレータ３０６と、ビーコン符号シーケンスで構成される制御情報を判定する制御情報復号器３０８とを含む。例えば、受信されたビーコン符号シーケンスは、さまざまな送信機からの１または複数のコードワードを備えうる。説明されるように、コードワードは、制御情報を示しうる。これは、次の通信における利用のために、制御情報復号器３０８によって復号されうる。例えば、一例において、制御情報は、帯域幅の一部によって別の送信機による抑制要求に関連しうる（これは、要求元の送信機と干渉しうる）。
【００３７】
無線デバイス３０４は、１または複数の受信機へ送信するための制御情報を生成する制御情報定義部３１０を含む。例えば、この制御情報は、前述したように、帯域幅のある一部によって、干渉なしで送信したいとの要求を示す干渉回避メッセージに関連しうる。この制御情報はさらに、追加の通信リソースを無線デバイス３０４へ与えるために受信機によって利用されうる例えばＳＮＲ等のようなＣＱＩ情報に関連しうる。無線デバイス３０４はさらに、ビーコン・シンボルを定義する、またはビーコン・シンボルのシーケンスを備えたコードワードを定義する制御情報ビーコン・エンコーダ３１２を備えうる。これは、無線デバイス３０２へ送信するためを望む制御情報を表す。
【００３８】
一例において、無線デバイス３０２および無線デバイス３０４は、信号強度／ＳＮＲにしたがって最も望ましい接続以外の接続を可能にするヘテロジニアスに構成された無線ネットワークにおいて通信しうる。さらに、このネットワークは、ＯＦＤＭＡを用いて通信するネットワークでありうる。よって、多くの周波数トーンが、所与の時間期間にわたって定義され、通信のために利用されうる。したがって、利用可能な周波数は、説明されるように（例えば、ＯＦＤＭシンボル、シンボル期間等のような）時間期間にわたって（例えば、サブキャリアのような）周波数の一部を示すトーンへ分割されうる。無線デバイス３０４は、確保された制御セグメントにわたる送信電力を抑制し、制御情報のみをトーンによって送信しうる。無線ネットワークの類似の無線デバイス（例えば、図示しないモバイル・デバイスの一部、または、基地局の一部）もまた、制御情報を送信するために確保された帯域幅の確保されたセグメントによる複数のアクセス制御情報送信を確立するために、制御チャネルを抑制しうる。例えば、確保された制御セグメントは、説明するように、多くの時間期間またはフレームにわたって反復しうる。
【００３９】
制御情報定義部３１０は、例えば、前の通信において無線デバイス３０２から受信したリソース、一般的な信号品質、干渉の存在等に関連するデータを生成しうる。一例において、データ・チャネル・リソースは、無線デバイス３０２へ情報を送信するために受信され、制御情報は、チャネル・リソースに関連しうる。例えば、制御情報は、リソースにわたる通信の品質、ＳＮＲ等に関連しうる。さらに、制御信号は、干渉を回避することに関連しうる。したがって、データは、検出された干渉や、干渉の最小化、異なるリソースによる送信、干渉元のデバイスからの干渉の低減要求等に対する要求に関連しうる。無線デバイス３０２は、例えば、デバイスに対して、ある時間期間および／または周波数等にわたる送信電力を低減するように要求または要請することによって、この要求をさまざまな方式で達成しうる。
【００４０】
制御情報ビーコン・エンコーダ３１２は、制御情報に関連するビーコン・コードワードおよび／またはビーコン・シンボルを生成しうる。これは、例えば、ＯＦＤＭシンボルのサブキャリア内のビーコン・コードの位置が、無線デバイス３０２によって復号可能な情報を示し、そのような位置のシーケンスが、制御情報のより冗長な送信を可能にするように達成されうる。さらに、一例として、ビーコン・シンボルを送信するために、所与のシンボル期間の複数のＯＦＤＭシンボルが選択される。それに加えて、制御情報ビーコン・エンコーダ３１２は、誤り制御符号をコードワードに適用しうる。例えば、リード・ソロモン符号、畳み込み符号、線形ブロック符号、ターボ符号等は、前述したように、干渉されているか、あるいは、誤って受信されるコードワードの一部から、効率的な復号を可能にするために、符号内に冗長性を与えるために利用されうる。誤りのある符号化を区別するために、無線デバイス３０４は、制御情報ビーコン・エンコーダ３１２を利用し、ビーコン・シンボルにセクタ識別子またはその他の識別子を含める。それに加えて、あるいは、その代わりに、説明するように、無線デバイス３０４を識別するためにコードワードがスクランブルされる。ここでは、例えば、ビーコンは、他のセクタから受信される。
【００４１】
そのようなスクランブリングは、識別子にしたがってビーコン・シンボルを変更することによって実行されうる。例えば、トーン９、１４、５、および２が、１または複数のＯＦＤＭシンボルから選択される場合（例えば、トーン９がＯＦＤＭシンボル１から、トーン１４がＯＦＤＭシンボル２から、トーン５がＯＦＤＭシンボル３から、トーン２がＯＦＤＭシンボル４から選択される場合）、スクランブルによって、トーンがスワップされる（例えば、５、２、９、１４のように、第１のＯＦＤＭシンボルと第３のＯＦＤＭシンボルにおけるトーンの位置が、第２のＯＦＤＭシンボルと第４のＯＦＤＭシンボルにおけるトーンの位置とスワップされる）か、および／または、所与のセクタに特有でありうるＯＦＤＭシンボルのトーンが変更される（例えば、１０、１５、６、３のように、所与のＯＤＦＭシンボルのおのおののトーン・インデクスが１インクリメントされる）。その後、受信されたビーコン・シンボルがデスクランブルされ、送信元の無線デバイスあるいはそれに関連するセクタを識別するために利用されうる。１より多いトーンが、所与のＯＦＤＭシンボルのために利用され、さらにシフト、スクランブル等されうることが認識されるべきである。一例によれば、制御情報ビーコン・エンコーダ３１２は、それに加えて、構成または通信に依存して、ビーコン内のデータを符号化しうる。例えば、本明細書で説明するように、ビーコンは、ヘテロジニアスな構成のために、マクロセル・セクタにおいてデータを通信するために利用される一方、制御情報を送信するためにも利用されうる。無線デバイス３０４は、ビーコン符号制御情報を送信し、無線デバイス３０２は、ビーコン符号制御情報を受信する。
【００４２】
ビーコンを受信すると、ビーコン符号セパレータ３０６は、さまざまな送信元デバイスのビーコン符号を区別しうる。まず、一例において、ビーコン符号セパレータ３０６は、（帯域幅の一部にわたって無線デバイス３０４の電力を集中させることによって送信された）ビーコン・シンボルの存在を検出するために、バックグランド干渉レベルを推定しうる。これは、例えば、サブキャリアの電力（Ｐ）を、推定された干渉レベル（Ｉ）と比較して、Ｐ／Ｉ＞＝Ｔであるかを判定することによって達成されうる。ここで、Ｔは、決定されたしきい値レベルである。そして、Ｐ／Ｉ＞＝Ｔであると判定されると、このシンボルは、ビーコン・シンボルであると考えられうる。
【００４３】
前述したように、ビーコン・シンボルまたはコードワードが、例えばリード・ソロモン符号のような誤り制御符号を用いて送信された場合、ビーコン符号セパレータ３０６は、送信時における誤りを考慮するために、この符号化を利用しうる。さらに、上述したように、ビーコン符号が、セクタ識別子とともに送信される場合、あるいは、スクランブルされた符号を用いる場合、そのような識別子は、ビーコン・シンボルを区別するため、および、ビーコン・シンボルを、例えば無線デバイス３０４のような送信元の１または複数のデバイス、あるいは、受信先の１または複数のデバイスと相関付けるために使用されうる。さらに、例えばビーコン・トーン電力／フェーズ、サブキャリア信号強度ランキング、コードワード有効性等のようなソフト情報が、ビーコン・シーケンスの部分的または完全な区別および識別のために利用されうる。
【００４４】
さらに、ビーコン符号セパレータ３０６は、ビーコン符号シーケンスを決定するために、類似度しきい値を利用しうる。例えば、複数のシーケンスが受信された場合、シーケンスを判定することは、実際に送信されてはいないが、送信された別のビーコン・シンボルの組み合わせである１または複数の誤ったシーケンスを判定せねばならない（例えば、有効なコードワードは、別の送信機によって送信されたビーコン・シンボルから偶然に形成されうる）。したがって、コードワードは、所与のコードワードが誤っているかを判定するために、互いに類似度がチェックされうる。例えば、検出されているコードワード内に表れる多くのビーコン・シンボルが、１または複数の別のコードワードのビーコン・シンボルと比較され、ビーコン・シンボルのうちの１または複数が、他のコードワード内に表れるかが判定される。そして、表れる場合には、他のコードワードが幾つあるのかが判定される。一例において、しきい値よりも多い場合には、コードワードは、誤ったコードワードであると判定されうる。
【００４５】
ビーコン・コード・セパレータ３０６が、無線デバイス３０４のビーコン・シーケンスを識別する場合、ビーコン・シーケンスは、制御情報を解釈するために、制御情報復号器３０８によって復号されうる。制御情報を送信するために、確保されたセグメントを利用することによって、説明するように、非制御情報送信に関して確保されたセグメントを抑えることによって、その他の送信元の無線デバイスからの干渉が、緩和されうる。それに加えて、送信機は、一般に、（例えば、ランダムな選択、計画、誤り制御符合の利用等により、）異なるサブキャリアを占有する実質的にユニークなビーコン・シーケンスを有するので、別の無線デバイスからの干渉は、低い確率でしか生じない。さらに、１または複数のサブキャリアに干渉があるという点で、いくつかの干渉に直面した復号を改善するために、前述した誤り制御符合化技術が利用されうる。したがって、干渉回避要求／情報を含みうる制御情報は、無線デバイス３０４から無線デバイス３０２へと効率的に通信されうる。
【００４６】
図４を参照して、時間にわたって制御情報を送信するために利用される帯域幅４００の一部の例が示される。確保された制御セグメントの一部でありうる帯域幅は、（例えば、ここでは１６で示されているように）多くの周波数トーンを有する（例えば、ここでは８で示されている）ＯＦＤＭシンボル４０２の数によって表されうる。これらトーンを介して、例えば、干渉回避情報／要求、ＣＱＩ情報、ＳＮＲ情報等のような制御情報が通信される。ＯＦＤＭシンボル、および／または、ＯＦＤＭシンボ内のサブキャリアは、多かれ少なかれ、制御情報を送信するために利用され、この図は、説明された主題とともに使用するための実質的に無限な構成のうちの１つの例であることが認識されるべきである。さらに、ＯＦＤＭシンボルは、１または複数のフレーム、フレームの一部、および／または、制御情報のために確保されたこれらのプリアンブルを表しうる。さらに、確保された制御セグメントは、隣接するシンボル期間にわたる隣接する多くのトーンであるか、あるいは、フレームにわたって隣接することなく拡散されうる。さらに、確保された制御セグメントは、１つのフレーム毎に変化しうる。デバイスは、前述したように、帯域幅の一部を用いて、無線モバイル・ネットワーク内の別のデバイスと制御情報を通信しうる。説明するように、例えば、ビーコン・シンボルの受信機は、ＯＦＤＭシンボル４０２にわたる可能な干渉を低減するために、ＯＦＤＭシンボル４０２にわたる送信電力を抑える。
【００４７】
トーン４０４およびトーン４０６は、異なる送信機からのビーコン・シンボルを、ＯＦＤＭシンボル上に表す。帯域幅４０２内のＯＦＤＭシンボルの残りにわたって同じようにパターン化されたトーンは、それぞれの送信機から制御情報を送信するためのビーコン・シーケンスまたはコードワードを形成するＯＦＤＭシンボルにおけるビーコン・シンボルを表しうる。したがって、ビーコン・シンボルの送信機は、対応するトーンにおいて電力を集中させることによって送信し、トーンは、送信機に特有の制御情報を解釈するために、帯域幅の受信機によって分離および復号されうる。説明するように、ビーコン・シンボルは、しきい値にしたがって電力推定値および干渉推定値を検査することによって検出されうる。さらに、説明するように、ＯＦＤＭシンボルにおいて選択されたトーンは、制御情報および／またはその復号に関する情報を示しうる。例えば、トーンは、所望の制御情報に加えて、送信機の識別子に関連しうる。さらに、誤り制御符号化技術を含む符合化技術のうちの１または複数は、説明したように、ビーコン・シンボルに適用されうる。
【００４８】
図５および図６を参照して、ヘテロジニアスな無線ネットワーク構成において、高い成功確率で制御情報を送信することに関する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示された全ての動作が必要とされる訳ではない。
【００４９】
図５に移って、制御情報を複数のビーコン・シンボルとして送信することを容易にする方法５００が例示される。５０２では、制御情報が生成される。この制御情報は、干渉回避要求、データ通信チャネルにおける通信品質（ＳＮＲまたはＣＱＩ）、または、例えば、割り当てられたリソースに関連するその他の情報に関連しうる。５０４では、誤り制御符号が、制御情報へ適用されうる。説明するように、これは、シンボルの一部が干渉を受ける場合であっても、より正しい復号のための冗長性レベルを提供する。さらに、この誤り制御符合によって、ビーコン・シンボルを、他の制御情報送信のビーコン・シンボルから区別できるようになる。一例において、前述したように、リード・ソロモン符号等が適用されうる。この符号は、ビーコン・シンボルを送信することに関連する識別子にしたがってスクランブルされうる。別の例において、この符号は、区別するための識別子にしたがって変更されるか、および／または、別の例では、識別子がビーコン・シンボルとともに送信されうる。
【００５０】
５０６では、符合化された制御情報が、ビーコン・シンボルへ変換されうる。例えば、ビーコン・シンボルは、制御情報を送信する別の送信機によって確保されたセグメントによる送信のために変換されうる。さらに、説明するように、ビーコン・シンボルは、例えば、周波数内で選択されたトーンに少なくとも部分的に基づいて、制御情報を表しうる。例えば、ビーコン・シンボルが、複数のＯＦＤＭシンボルによって実現される場合、ＯＦＤＭシンボルにおけるサブキャリア位置が、所望のデータを示しうる。５０８では、後の復号のために、制御情報が、複数のビーコン・シンボルとして１または複数の受信機へ送信されうる。
【００５１】
図６を参照して、１または複数のビーコン・シンボルとして制御情報を受信および解釈することを容易にする方法６００が例示される。６０２では、制御情報を送信するために確保された帯域幅によってビーコン・シンボルが受信される。説明するように、１または複数の送信機は、衝動的な干渉を被る無線ネットワークにおいて、制御情報を伝送するために、ビーコン・シンボルを利用しうる。説明するように、確保されたセグメントにわたってビーコン・シンボルを利用することによって、制御情報を正しく受信および復号する確率が高くなる。さらに、ビーコンは、一例において、電力レベルを干渉推定値と比較することによって、および、この比較結果をしきい値に対して評価することによって識別されうる。６０４では、１または複数のビーコン・シンボルのセットが、１または複数の別のビーコン・シンボルのセットと区別される。これは、一例において、ビーコンによって形成されたコードワードの有効性を検証することによって少なくとも部分的に起こりうる。例えば、異なるデバイスは、帯域幅の同じ部分を用いて、所与の時間期間における別の周波数を用いて、高い可能性で制御情報を送信しうる。
【００５２】
区別されると、６０６において、少なくとも１つの送信機に関連する複数のビーコン・シンボルが復号されうる。この点に関し、送信機からの複数のビーコン・シンボルが、コードワードを形成しうる。ここでは、複数のビーコン・シンボルを送信するために選択されたシンボルが、制御情報を示しうる。それに加えて、ビーコン・シンボルはさらに、例えばリード・ソロモン符合化、畳み込み符合化、ブロック符合化、ターボ符合化等のような１または複数の符合化技術を用いて、誤り制御符合化される。この点において、ビーコン・シンボルはまず、使用されている誤り制御符号化技術によって予測されうる。これは、一例において、送信中に干渉を受けるシンボルを識別しうる。さらに、この誤り制御符号化技術は、明示的な識別子によって、および／または、この符合化において使用されているスクランブリングまたはマルチプライヤによって、シンボルの送信機を識別しうる。６０８では、ビーコン・シンボルによって表される制御情報が、解釈されうる。
【００５３】
本明細書で記載された１または複数の態様にしたがって、説明するように制御情報を送信するための帯域幅の部分を選択することに関する推論がなされうることが認識されるだろう。本明細書で使用されるように、「推論する」または「推論」という用語は一般に、イベントおよび／またはデータによって取得されるような観察のセットから、システム、環境、および／または、ユーザの状態を推理または推論するプロセスを称する。推論は、特定のコンテキストまたは動作を特定するために適用されるか、あるいは、例えば状態にわたる確率分布を生成しうる。推論は、確率論的、すなわち、データおよびイベントの考慮に基づいて、興味のある状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００５４】
一例によれば、上述した１または複数の方法は、制御情報を送信するために利用可能な帯域幅の部分、別のデバイスによって利用される部分、制御情報を送信するためのスキームの存在、１または複数のデバイスまたは基地局のアクティビティ・レベルまたは干渉、利用すべきビーコン符合化スキーム、ビーコン符合化スキーム内に含めるべき識別子等に関する推論を行うことを含みうる。
【００５５】
図７は、複数のビーコン・シンボルによって制御情報を送信することを容易にするモバイル・デバイス７００の例示である。モバイル・デバイス７００は、例えば受信アンテナ（図示せず）から信号を受信し、受信した信号について一般的な動作（例えば、フィルタ、増幅、ダウンコンバート等）を実行し、この調整された信号をデジタル化してサンプルを得る受信機７０２を備える。受信機７０２は、受信したシンボルを復調し、それらを、チャネル推定のためにプロセッサ７０６へ提供する復調器７０４を備えうる。プロセッサ７０６は、受信機７０２によって受信された情報を分析すること、および／または、送信機７１６による送信のための情報を生成することに特化されたプロセッサ、モバイル・デバイス７００の１または複数の構成要素を制御するプロセッサ、および／または、受信機７０２によって受信された情報を分析することと、送信機７１６による送信のための情報を生成することと、モバイル・デバイス７００のうちの１または複数の構成要素を制御することとのすべて行うプロセッサでありうる。
【００５６】
モバイル・デバイス７００はさらにメモリ７０８を備えることができる。このメモリ７０８は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７０８はさらに、（例えば、パフォーマンス・ベース、キャパシティ・ベース等での）チャネルの推定および／または利用に関連付けられたアルゴリズムおよび／またはプロトコルを格納しうる。
【００５７】
本明細書に記載されたデータ・ストア（例えば、メモリ７０８）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ８１２は、限定される訳ではないが、これらおよびその他任意の適切なタイプのメモリを備えることが意図される。
【００５８】
プロセッサ７０６はさらに、１または複数の基地局またはその他のアクセス・ポイントとの通信に関連する制御情報（例えば、干渉回避要求、ＳＮＲ、ＣＱＩ等）を生成する制御情報定義部７１０と、制御情報を伝送するためにビーコン・シンボルを利用する制御情報ビーコン・エンコーダ７１２と、に動作可能に結合されうる。例えば、帯域幅の一部は、一例において、無線ネットワークにおける別のモバイル・デバイスが、確保された部分による非制御情報送信のための電力を抑制できるように、制御情報を送信するために確保されうる。無線ネットワークの（例えば、基地局、またはさらに詳しくは、例えばマクロおよびピコのように同様に分類された基地局はそれらの一部のような）その他同様に分類されたデバイスも同様に、制御情報を送信するために確保された帯域幅の一部による電力を抑制しうるが、これは、ほんの一例であることが認識されるべきである。制御情報ビーコン・エンコーダ７１２は、（例えば、帯域幅における位置によって）制御情報を示す複数のビーコン・シンボルを生成しうる。一例において、帯域幅は、複数の隣接したＯＦＤＭシンボルを備え、ビーコン・シンボルは、選択されたサブキャリアが、制御情報を示すＯＦＤＭシンボルのサブキャリアにわたって定義されうる。さらに、制御情報ビーコン・エンコーダ７１２は、前述したように、１または複数の誤り制御符合化スキームを適用しうる。
【００５９】
モバイル・デバイス７００はさらに、信号を変調する変調器７１４と、信号を例えば基地局、他のモバイル・デバイス等へ送信する送信機７１６とを備える。プロセッサ７０６と別に示されているが、制御情報定義部７１０、制御情報ビーコン・エンコーダ７１２、復調器７０４、および／または、変調器７１４は、プロセッサ７０６または複数のプロセッサ（図示せず）のうちの一部でありうることが認識されるべきである。
【００６０】
図８は、制御情報のために確保された帯域幅の一部を抑制し、帯域幅の一部によってビーコン・シンボルとして送信された制御情報を復号することを容易にするシステム８００の例示である。このシステム８００は、複数の受信アンテナ８０６によって１または複数のモバイル・デバイス８０４から信号を受信する受信機８１０と、送信アンテナ８０８によって１または複数のモバイル・デバイス８０４へ信号を送信する送信機８２４とを備える、基地局８０２（例えば、アクセス・ポイント）を備える。受信機８１０は、受信アンテナ８０６から情報を受信する。さらに、受信した情報を復調する復調器８１２と動作可能に関連付けられている。復調されたシンボルは、図７に関連して上述されたプロセッサと類似のプロセッサ８１４によって分析される。プロセッサ８１４は、信号（例えばパイロット）強度および／または干渉強度を推定することに関連する情報、モバイル・デバイス８０４（または（図示しない）別の基地局）へ／から送信される／受信されたデータ、および／または、本明細書に記載されたさまざまな動作および機能を実行することに関連するその他任意の適切な情報を格納するメモリ８１６に結合されている。プロセッサ８１４はさらに、制御情報を送信するために確保された帯域幅のセグメントによって受信された多くのビーコン・シンボルまたはコードワードを区別するビーコン符号セパレータ８１８と、区別されたビーコン・シンボル／コードワードから制御情報を復号する制御情報復号器８２０とに結合される。
【００６１】
例えば、ビーコン・コード・セパレータ８１８は、説明するように、制御情報を示す受信した多くのビーコン・シンボルまたはコードワードを区別しうる。さらに、制御情報復号器８２０は、上述したように、受信した制御情報を、複数のビーコン・シンボルとして復号しうる。例えば、制御情報は、帯域幅の受信部分で、他のモバイル・デバイスからのデータとともに送信されうる。しかしながら、モバイル・デバイス８０４は、ビーコン符号制御情報を送信するために確保されたセグメントを抑制し、上述した複数のアクセス・メカニズムを用いて送信するので、確保されたセグメントを利用することによって、受信が成功する確率、すなわち、制御情報の復号が成功する確率が高くなる。それに加えて、ビーコン・シンボルは、前述したように、モバイル・デバイス８０４がシンボルを送信するとの判定を可能にするように符合化されうる。さらに、プロセッサ８１４と別に示されているが、ビーコン符号セパレータ８１８、制御情報復号器８２０、復調器８１２、および／または、変調器８２２は、プロセッサまたは（図示しない）複数のプロセッサの一部でありうることが認識されるべきである。
【００６２】
図９は、無線通信システム９００の例を示す。無線通信システム９００は、簡潔さの目的で、１つの基地局９１０と１つのモバイル・デバイス９５０とを示している。しかしながら、システム９００は、１より多い基地局、および／または、１より多いモバイル・デバイスを含むことができ、これら追加の基地局および／またはモバイル・デバイスは、以下に説明する基地局９１０およびモバイル・デバイス９５０の例と実質的に同じでも、別のものでもありうることが認識されるべきである。それに加えて、基地局９１０および／またはモバイル・デバイス９５０は、その間の無線通信を容易にするために、本明細書に記載されたシステム（図１乃至図３、図７および図８）、例（図４）、および／または方法（図５および図６）を適用しうることが認識されるべきである。
【００６３】
基地局９１０では、多くのデータ・ストリームのためのトラフィック・データが、データ・ソース９１２から送信（ＴＸ）データ・プロセッサ９１４へ提供される。一例によれば、おのおののデータ・ストリームは、それぞれのアンテナを介して送信される。ＴＸデータ・プロセッサ９１４は、トラフィック・データ・ストリームをフォーマットし、このデータ・ストリームのために選択された特定の符合化スキームに基づいて符号化し、インタリーブして、符合化されたデータを提供する。
【００６４】
おのおののデータ・ストリームの符合化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符合化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ９３０によって実行または提供される命令によって決定されうる。
【００６５】
データ・ストリームの変調シンボルは、（例えば、ＯＦＤＭのために）変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００６６】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００６７】
モバイル・デバイス９５０では、送信された変調信号がＮＲ個のアンテナ９５２ａ乃至９５２ｒによって受信され、おのおののアンテナ９５２からの受信信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００６８】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００６９】
プロセッサ９７０は、上述したように、どの事前符合化行列を使用するのかを定期的に決定する。さらに、プロセッサ９７０は、行列インデクス部およびランク値部を備えた逆方向リンク・メッセージを規定することができる。
【００７０】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００７１】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージを抽出する。さらに、プロセッサ９３０は、ビームフォーミング重みを決定するためにどの事前符合化行列を使用するかを決定するために、この抽出されたメッセージを処理する。
【００７２】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。プロセッサ９３０およびプロセッサ９７０はまた、アップリンクおよびダウンリンクそれぞれのための周波数およびインパルス応答推定値を導出する計算をも実行する。
【００７３】
本明細書に記載された実施形態は、ハードウェア、ソフトウェア、ファームウェア、ミドルウェア、マイクロコード、あるいはこれらの任意の組み合わせで実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００７４】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データ等は、メモリ共有、メッセージ引渡し、トークン引渡、ネットワーク送信等を含む任意の適切な手段を用いて引渡、転送、あるいは送信されうる。
【００７５】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００７６】
図１０を参照して、無線ネットワークにおいて制御情報を受信することを容易にするシステム１０００が例示される。例えば、システム１０００は、基地局、モバイル・デバイス等の中に少なくとも部分的に存在しうる。システム１０００は、プロセッサ、ソフトウェア、またはそれらの組み合わせ（例えば、ファームウェア）によって実現される機能を表す機能ブロックでありうる機能ブロックを含むものとして示されることが認識されるべきである。システム１０００は、連携して動作しうる電子構成要素の論理グループ１００２を含む。例えば、論理グループ１００２は、確保された制御セグメントを備える複数のトーンを受信するための電子構成要素１００４を含みうる。例えば、ビーコン符号シーケンスは、１または複数のＯＦＤＭシンボルによってさまざまなトーンで送信された複数のビーコン・シンボルを備えうる。さらに、論理グループ１００２は、確保された制御セグメントによって送信された少なくとも１つのビーコン符号シーケンスを判定するために、確保された制御セグメントの一部を復号するための電子構成要素１００６を備えうる。例えば、送信デバイスは、例えば制御情報のようなデータを伝送するための周波数トーンを選択しうる。一例では、ＯＦＤＭ構成が使用されうる。ここでは、帯域幅の一部が連続したＯＦＤＭシンボルの集合であり、このＯＦＤＭシンボルのサブキャリアのフラクションによってビーコン・シンボルが送信される。サブキャリアの位置は、データ（例えば、ビット表示）を示しうる。さらに、論理グループ１００２は、ビーコン符号シーケンスによって表される制御情報を解釈するための電子構成要素１００８を備えうる。したがって、前述したように、制御情報は、周波数内のビーコン・シンボルのために選択されたトーンに少なくとも部分的に基づいて、ビーコン・シンボルのシーケンスで符号化されうる。さらに、システム１０００は、電子構成要素１００４、１００６、１００８に関連付けられた機能を実行するための命令群を保持したメモリ１０１０を含みうる。メモリ１０１０の外側にあるとして示されているが、電子構成要素１００４、１００６、１００８のうちの１または複数は、メモリ１０１０内に存在しうることが理解されるべきである。
【００７７】
図１１に移って、無線ネットワークにおいてビーコン・シンボルによって制御情報を通信するシステム１１００が例示される。システム１１００は、例えば、基地局、モバイル・デバイス等に存在しうる。図示するように、システム１１００は、プロセッサ、ソフトウェア、または（例えば、ファームウェアのような）これらの組み合わせによって実現される機能を表しうる。システム１１００は、制御情報を通信することを容易にする電子構成要素の論理グループ１１０２を含む。論理グループ１１０２は、制御情報を１または複数のビーコン・シンボルとして送信するために、確保された制御セグメントを、帯域幅の一部として定義するための電子構成要素１１０４を含みうる。説明するように、このセグメントは、隣接しているか、あるいは隣接していない所与の時間フレームにおける時間部分にわたる周波数の部分に関連し、所与の時間フレームにわたって変動しうる。さらに、無線ネットワーク内の類似した実質的にすべての無線デバイス（例えば、モバイル・デバイス）またはその一部は、干渉のない制御情報の送信を容易にするために、確保された制御セグメントでの非制御情報送信を抑制しうる。さらに、論理グループ１１０２は、ビーコン・コードワードを形成する複数のビーコン・シンボルとして、制御情報を符号化するための電子構成要素１１０６を含みうる。この点に関し、ビーコン・コードワードは、制御情報を表しうる。一例において、（例えば、周波数に関して）利用可能な帯域幅内のビーコン・シンボルのために選択された周波数トーンは、前述したようにして情報を示しうる。それに加えて、説明しているように、符号化は、より信頼性の高い復号および予測のための冗長化を容易にするために、誤り制御符号化を適用することを含みうる。さらに、論理グループ１１０２は、確保された制御セグメントでビーコン・コードワードを送信するための電子構成要素１１０８を含みうる。したがって、これらデバイスは、例えば別のビーコン・シンボルまたはコードワードとして送信するように、複数のアクセス・スキームを用いて同じ帯域幅部分によって制御情報を送信しうる。さらに、システム１１００は、電子構成要素１１０４、１１０６、１１０８に関連付けられた機能を実行するための命令群を保持するメモリ１１１０を含みうる。メモリ１１１０の外部にあるとして示されているが、電子構成要素１１０４、１１０６、１１０８は、メモリ１１１０の内部に存在しうることが理解されるべきである。
【００７８】
上述したものは、１または複数の実施形態の一例を含んでいる。もちろん、上述した実施形態を説明する目的で、構成要素または方法の考えられる全ての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのような全ての変更、修正、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【図１】
2011504044.tif 000003
【図２】
2011504044.tif 000004
【図３】
2011504044.tif 000005
【図４】
2011504044.tif 000006
【図５】
2011504044.tif 000007
【図６】
2011504044.tif 000008
【図７】
2011504044.tif 000009
【図８】
2011504044.tif 000010
【図９】
2011504044.tif 000011
【図１０】
2011504044.tif 000012
【図１１】
2011504044.tif 000013
【国際調査報告】
2011504044.tif 000014
2011504044.tif 000015
2011504044.tif 000016